(57)【要約】  マイクロリソグラフィ投影装置（１０）の照明系は、面（Ｓ）上の投影光の照射分布を調節する照射調節ユニット（５２）を含む。照射調節ユニット（５２）は、光偏向要素（５５）のアレイを有する空間光変調器（５４ａ，５４ｂ；１５４）と、投影光を変調光路（５９ａ，５９ｂ；１５９）に沿って伝播する変調光（５８ａ，５８ｂ；１５８）及び非変調光路（６３；１６３ａ，１６３ｃ，１６３ｄ）に沿って伝播する非変調光（６０ａ，６０ｂ；１６０ａ，１６０ｃ，１６０ｄ）に分割する光スプリッタ（５６ａ，５６ｂ；５６；１５６ａ）とを含む。空間光変調器（５４ａ，５４ｂ；１５４）は、変調光路（５９ａ，５９ｂ；１５９）にのみ配置され、非変調光路（６３；１６３ａ，１６３ｃ，１６３ｄ）には配置されない。変調光（５８ａ，５８ｂ；１５８）と非変調光（６０ａ，６０ｂ；１６０ａ，１６０ｃ，１６０ｄ）は面上で重なる。【選択図】図３
2018518702.tif 000002
【特許請求の範囲】
【請求項１】
マイクロリソグラフィ装置（１０）の照明系であって、
ａ）光源（１１）によって生成される投影光を受光するように構成された光入口（１３）と、
ｂ）前記光入口（１３）からの前記投影光を受光するように配置され、かつ面（Ｓ）上の該投影光の照射分布を調節するように構成された照射調節ユニット（５２）
を含み、
前記照射調節ユニットが、
個々に制御されるように構成された光偏向要素（５５）のアレイを有する空間光変調器（５４ａ，５４ｂ；１５４）、及び
前記投影光を変調光路（５９ａ，５９ｂ；１５９）に沿って伝播する変調光（５８ａ，５８ｂ；１５８）及び該変調光路とは別個の非変調光路（６３；１６３ａ，１６３ｃ，１６３ｄ）に沿って伝播する非変調光（６０ａ，６０ｂ；１６０ａ，１６０ｃ，１６０ｄ）に分割する光スプリッタ（５６ａ，５６ｂ；５６；１５６ａ）、
を含み、
前記空間光変調器（５４ａ，５４ｂ；１５４）が、前記変調光路（５９ａ，５９ｂ；１５９）に配置されるのみであり、
空間光変調器が、前記非変調光路（６３；１６３ａ，１６３ｃ，１６３ｄ）に配置されず、
前記変調光（５８ａ，５８ｂ；１５８）及び前記非変調光（６０ａ，６０ｂ；１６０ａ，１６０ｃ，１６０ｄ）が、前記面上で重なる、
照明系。
【請求項２】
前記光スプリッタ（５６ａ，５６ｂ；５６；１５６ａ）は、前記照射調節ユニット上に入射する前記投影光の少なくとも７０％が前記非変調光路（６３；１６３ａ，１６３ｃ，１６３ｄ）に沿って伝播するように構成されることを特徴とする請求項１に記載の照明系。
【請求項３】
前記光スプリッタ（５６ａ，５６ｂ；５６；１５６ａ）は、前記投影光によって照明された場合に少なくとも２つの回折次数を生成するように構成された回折光学要素（５６；１５６ａ）を含むことを特徴とする請求項１又は請求項２に記載の照明系。
【請求項４】
前記回折光学要素（１５６ａ）は、反射性であり、かつ前記投影光が該回折光学要素上にかすめ入射の下で入射するように配置されることを特徴とする請求項３に記載の照明系。
【請求項５】
前記光スプリッタ（１５６ａ）から射出するゼロ次の光が、前記非変調光の第１の部分（１６０ａ）を形成し、
前記光スプリッタ（１５６ａ）から射出する非ゼロ次の光（Ｌａ＋１）が、それを前記変調光（１５８）と該非変調光の第２の部分（１６０ｂ）とに分割する第２の回折光学要素（１５６ｂ）上にかすめ入射の下で入射する、
ことを特徴とする請求項３又は請求項４に記載の照明系。
【請求項６】
前記非変調光の前記第２の部分（１６０ｂ）は、第３の回折光学要素（１５６ｃ）上に入射し、そこから全ての回折次数が、前記面（Ｓ）に向けて案内されることを特徴とする請求項５に記載の照明系。
【請求項７】
前記照射調節ユニット（５２）は、個々に制御されるように構成された更なる光偏向要素のアレイを有する更なる空間光変調器を含み、かつ
前記光スプリッタは、前記投影光を更なる変調光路に沿って伝播する更なる変調光にも分割し、
前記更なる空間光変調器は、前記更なる変調光路に配置され、
前記変調光、前記更なる変調光、及び前記非変調光は、前記面上で重なる、
ことを特徴とする請求項１から請求項６のいずれか１項に記載の照明系。
【請求項８】
前記空間光変調器（６８）を前記面（Ｓ）上に結像する対物系（６４ａ，６４ｂ；１６４）を含むことを特徴とする請求項１から請求項７のいずれか１項に記載の照明系。
【請求項９】
ａ）前記投影光によって照明されることになるマスク（１６）を配置することができるマスク平面（８８）と、
ｂ）複数の２次光源（１０６）を生成するように構成された光学インテグレータ（６８）であって、該光学インテグレータ（６８）が、各々が該２次光源（１０６）のうちの１つに関連付けられて前記面（Ｓ）上に配置された複数の光入射ファセット（７５）を含み、該光入射ファセット（７５）の像が、前記マスク平面（８８）内で少なくとも実質的に重なる前記光学インテグレータ（６８）と、
ｃ）前記照射調節ユニット（５２）を可変的に照明するように構成された瞳形成ユニット（３６）と、
を含むことを特徴とする請求項１から請求項８のいずれか１項に記載の照明系。
【請求項１０】
前記瞳形成ユニット（３６）は、ビーム偏向要素（４０）のアレイ（３８）を含み、
各ビーム偏向要素（４０）が、該ビーム偏向要素（４０）によって生成された偏向角を変えることによって連続的に可変である位置で前記空間光変調器（５４ａ，５４ｂ；１５４）上のスポット（９４）を照明するように構成される、
ことを特徴とする請求項９に記載の照明系。
【請求項１１】
マイクロリソグラフィ投影装置（１０）の照明系（１２）の面（Ｓ）上の投影光の照射分布を調節する方法であって、
ａ）前記投影光を変調光（５８ａ，５８ｂ；１５８）及び非変調光（６０ａ，６０ｂ；１６０ａ，１６０ｃ，１６０ｄ）に分割する段階と、
ｂ）前記変調光（５８ａ，５８ｂ；１５８）を空間光変調器（５４ａ，５４ｂ；１５４）にかつ該空間光変調器から前記面（Ｓ）に向ける段階と、
ｃ）前記面（Ｓ）上に前記非変調光（６０ａ，６０ｂ；１６０ａ，１６０ｃ，１６０ｄ）を該非変調光が空間光変調器と相互作用することなく該面上で前記変調光と重なるように向ける段階と、
を含むことを特徴とする方法。
【請求項１２】
前記投影光の少なくとも７０％が、非変調光路（６３；１６３ａ，１６３ｃ，１６３ｄ）に沿って伝播することを特徴とする請求項１１に記載の方法。
【請求項１３】
回折光学要素（５６；１５６ａ）が、段階ａ）で前記投影光を分割することを特徴とする請求項１１又は請求項１２に記載の方法。
【請求項１４】
前記投影光は、前記回折光学要素（１５６ａ）上にかすめ入射の下で入射することを特徴とする請求項１３に記載の方法。
【請求項１５】
光スプリッタ（１５６ａ）から射出するゼロ次の光が、前記非変調光の第１の部分（１６０ａ）を形成し、
前記光スプリッタ（１５６ａ）から射出する非ゼロ次の光（Ｌａ＋１）が、それを前記変調光（１５８）及び前記非変調光の第２の部分（１６０ｂ）に分割する第２の回折光学要素（１５６ｂ）上にかすめ入射の下で入射する、
ことを特徴とする請求項１３又は請求項１４に記載の方法。
【請求項１６】
前記非変調光の前記第２の部分（１６０ｂ）は、第３の回折光学要素（１５６ｃ）上に入射し、そこから全ての回折次数が、前記面（Ｓ）に向けて案内されることを特徴とする請求項１５に記載の方法。
【請求項１７】
前記空間光変調器（５４ａ，５４ｂ；１５４）は、前記面（Ｓ）上に結像されることを特徴とする請求項１１から請求項１６のいずれか１項に記載の方法。
【請求項１８】
ａ）光学インテグレータ（６８）が、複数の２次光源（１０６）を生成し、該光学インテグレータ（６８）は、各々が該２次光源（１０６）のうちの１つに関連付けられて前記面（Ｓ）上に配置された複数の光入射ファセット（７５）を含み、該光入射ファセット（７５）の像が、マスク平面（８８）内で少なくとも実質的に重ね合わされ、
ｂ）瞳形成ユニット（３６）が、照射調節ユニット（５２）を可変的に照明する、
ことを特徴とする請求項１１から請求項１７のいずれか１項に記載の方法。
【発明の詳細な説明】
【技術分野】
【０００１】
本発明は、一般的にマイクロリソグラフィの分野に関し、特に、投影露光装置及びマスク検査装置に使用される照明系に関する。本発明は、特に、そのような照明系内の面上の光照射分布を調節することに関する。面は、例えば、視野平面又は瞳平面である場合があり、面はまた、光学インテグレータのような光学要素の境界面である場合がある。
【背景技術】
【０００２】
マイクロリソグラフィ（フォトリソグラフィ又は簡易的にリソグラフィとも呼ばれる）は、集積回路、液晶ディスプレイ、及び他の微細構造デバイスの製作のための技術である。マイクロリソグラフィ処理は、エッチング処理との併用で基板、例えば、シリコンウェーハ上に形成された薄膜スタック内に特徴部をパターン化するのに使用される。製作の各層において、最初にウェーハは、深紫外（ＤＵＶ）光、真空紫外（ＶＵＶ）光、又は極紫外（ＥＵＶ）光のような放射線に対して感受性を有する材料であるフォトレジストで被覆される。次いで、フォトレジストをその上に有するウェーハは、投影露光装置内で投影光に露光される。装置は、マスクパターンによって決定されるある一定の場所でのみフォトレジストが露光されるように、パターンを含有するマスクをフォトレジストの上に投影する。露光の後に、フォトレジストが現像され、マスクパターンに対応する像が生成される。次いで、エッチング処理は、このパターンをウェーハ上の薄膜スタック内に転写する。最後に、フォトレジストが除去される。異なるマスクを用いたこの工程の繰り返しは、多層微細構造化構成要素をもたらす。
【０００３】
投影露光装置は、典型的には、光源と、光源によって生成された投影光でマスクを照明する照明系と、マスクを位置合わせするためのマスク台と、投影対物系と、フォトレジストで被覆されたウェーハを位置合わせするためのウェーハ位置合わせ台とを含む。照明系は、例えば、矩形又は湾曲スリットの形状を有する場合があるマスク上の視野を照明する。
【０００４】
現在の投影露光装置では、２つの異なるタイプの装置の間で区別を付けることができる。一方のタイプでは、ウェーハ上の各ターゲット部分は、マスクパターン全体をこのターゲット部分の上に１回で露光することによって照射される。そのような装置は、一般的にウェーハステッパと呼ばれる。一般的にステップ・アンド・スキャン装置又はスキャナと呼ばれる他方のタイプの装置では、各ターゲット部分は、マスクパターンを投影ビームの下で走査方向に沿って徐々に走査し、一方、それと同期して基板をこの方向と平行又は逆平行に移動することによって照射される。ウェーハの速度とマスクの速度の比は、通常は１よりも小さく、例えば、１：４である投影対物系の倍率に等しい。
【０００５】
「マスク」（又はレチクル）という用語は、パターン化手段として広義に解釈されることは理解されるものとする。一般的に使用されるマスクは、不透明又は反射性パターンを含有し、例えば、バイナリ、交互位相シフト、減衰位相シフト、又は様々な混成マスクタイプとすることができる。しかし、アクティブマスク、例えば、プログラム可能ミラーアレイとして実現されたマスクも存在する。プログラム可能ＬＣＤアレイも、同じくアクティブマスクとして使用することができる。
【０００６】
マスク検査装置では、検査されるマスクはレジスト上に投影されず、ＣＣＤカメラのような電子結像デバイス上に投影される。対物系によって結像デバイス上に生成される空中像は、露光装置におけるように縮小されることはなく、むしろ強く拡大される。しかし、投影露光装置の照明系とマスク検査装置とは、かなり類似している。
【０００７】
微細構造デバイスを製造するための技術が進歩する時に、照明系に対しても絶えず高まる要求が存在する。理想的には、照明系は、マスク上の照明視野の各点を十分に定義された角度及び空間照射分布を有する投影光で照明する。
【０００８】
ａ）角度照射分布の調節
角度照射分布という用語は、マスク平面内の特定の点に向けて収束する光束の全光エネルギが、光束を構成する光線の異なる方向の間でどのように配分されるかを説明するものである。
【０００９】
マスク上に入射する投影光の角度照射分布は、通常、フォトレジストの上に投影されるパターンの種類に適応される。多くの場合に、角度照射分布は、パターン内に含まれる特徴部のサイズ、向き、及びピッチに依存する。最も一般的に使用される投影光角度照射分布は、従来照明設定、環状照明設定、並びに二重極照明設定及び四重極照明設定と呼ばれる。これらの用語は、照明系の瞳平面内の照射分布を意味する。例えば、環状照明設定を使用すると、瞳平面内で環状領域だけが照明される。従って、投影光の角度照射分布には小さい角度範囲しか存在せず、全ての光線が、マスク上に類似の角度で斜方入射する。
【００１０】
角度照射分布がマスク上の照明視野にわたって意図せずに変化する場合に、通常、この変化は、感光面上に生成される像の品質に対して悪影響を有する。例えば、角度照射分布が完全に均衡のとれたものではなく、すなわち、マスク点上に一方の側から他方の側よりも多い光が入射し、感光面が投影対物系の焦点面内に完全には配置されていない場合に、感光面上の共役像点は横方向にシフトすることになる。
【００１１】
当業技術では、望ましい照明設定を達成するためにマスク平面内の投影光の角度照射分布を調節するための異なる手段が知られている。殆どの従来技術手法は、照明系の瞳平面内で空間照射分布を調節することに主眼を置いている。
【００１２】
最も単純な場合に、１又は２以上の開口を含む絞り（ダイヤフラム）が瞳平面に位置決めされる。瞳平面内の場所は、マスク平面のようなフーリエ関係が成り立つ視野平面内の角度に変換されるので、瞳平面内の開口のサイズ、形状、及び場所は、マスク平面内の角度照射分布を決定する。しかし、照明設定のいかなる変更も、絞りの交換を必要とする。絞りの交換は、僅かに異なるサイズ、形状、又は場所を有する開口を有する非常に多くの個数の絞りを必要とすることになるので、照明設定を微調節することを困難にする。更に、絞りの使用は、有意な光損失、従って、装置の収量の低下を不可避にもたらす。
【００１３】
従って、多くの一般的な照明系は、瞳平面の照射分布を少なくともある程度まで連続的に調節することを可能にする調節可能要素を含む。多くの照明系は、瞳平面に望ましい空間照射分布を生成する交換可能な回折光学要素を使用する。回折光学要素と瞳平面の間に設けられたズーム光学系と１対のアキシコン要素とを使用すると、この空間照射分布をある程度まで調節することができる。
【００１４】
数年前に、瞳平面を可変的に照明するミラーアレイを使用することが提案されている。ＥＰ  １  ２６２  ８３６  Ａ１では、ミラーアレイは、１０００個よりも多い微小ミラーを含むマイクロ電気機械システム（ＭＥＭＳ）として実現されている。ミラーの各々は、瞳平面に光スポットを生成する。これらのミラーは、２つの直交軸の周りに傾斜させることができるので、ミラーを傾斜させることによって光スポットを瞳平面にわたって自由に移動することができる。
【００１５】
類似の照明系は、ＵＳ  ２００６／００８７６３４  Ａ１、ＵＳ  ７，０６１，５８２  Ｂ２、ＵＳ  ２００７／０１６５２０２  Ａ１、及びＵＳ  ２０１１／０１２２３８８  Ａ１から知られている。
【００１６】
更に、光学インテグレータの光入射ファセットを可変的に照明することによって角度照射分布を視野依存方式で調節することが提案されている。そのような手法は、ＵＳ  ２０１３／０２９３８６１  Ａ１に開示されている。この従来技術照明系では、照明系の瞳平面に望ましい照射分布を生成するために第１のミラーアレイが使用される。この瞳平面の直近には、複数の光入射ファセットを有する光学インテグレータが配置される。光入射ファセットの像は、マスク上で重ね合わされる。第１のミラーアレイによって生成される光スポットは、光入射ファセットの全面積よりも少なくとも５倍小さい面積を有する。それによって光入射ファセット上に可変光パターンを生成することができる。このようにして、照明視野の異なる部分の上に異なる角度照射分布を生成することができる。すなわち、例えば、所与の時点で照明視野内にＸ二重極（ｄｉｐｏｌｅ）照明設定及びＹ二重極照明設定を生成することができる。
【００１７】
異なる照明設定を有する各部分が鮮明に境界付けられることを確実にするために、従来技術照明系ではデジタルミラーデバイス（ＤＭＤ）として構成された第２のミラーアレイが使用される。この第２のミラーアレイは、第１のミラーアレイによって照明され、対物系によって光入射ファセット上に結像される。第２のミラーアレイのマイクロミラーのより大きい群を「オフ」状態にすることにより、光入射ファセット上に鮮明な境界を有する照射分布を生成することが可能である。
【００１８】
未公開国際特許出願ＰＣＴ／ＥＰ２０１４／００３０４９により、第２のミラーアレイは、鮮明な境界を確実にするためだけではなく、光入射ファセット上における光パターンを直接決定するためにも使用される。この場合に、第１のミラーアレイによって生成される光スポットが光入射ファセットよりも大きいことも可能である。
【００１９】
ｂ）空間照射分布の調節
上述のように、通常はマスク上の全ての点を少なくとも走査積分後には同じ照射分布で照明するのが望ましい。走査積分後にマスク上の複数の点が異なる照射で照明される場合に、通常、ウェーハレベルにおいて臨界寸法（ＣＤ）の望ましくない変化がもたらされる。例えば、照射変化が存在する場合に、マスク上では均一な線の感光体上における像は、その長さに沿って照射変化を有する可能性もある。レジストの固定露光閾値に起因して、そのような照射変化は、線の像によって定義される構造の幅変化に直接変換される。
【００２０】
照明視野内の空間照射分布を修正するために、ＵＳ  ６，４０４，４９９  Ａ及びＵＳ  ２００６／０２４４９４１  Ａ１は、横並びに配置され、かつ走査方向と平行に位置合わせされた不透明指状絞り要素の２つの対向するアレイを含む機械的デバイスを提案している。相互に対向する絞り要素の各対は、絞り要素の対向する端部の間の距離が変更されるように走査方向に沿って変位させることができる。このデバイスが、マスク上に対物系によって結像される照明系の視野平面に位置決めされる場合に、交差走査方向に沿って変化することが可能な走査方向幅を有するスリット状照明視野を生成することができる。照射は走査工程中に積分されるので、積分照射（場合によって照明投与量とも呼ばれる）は、照明視野内の複数の交差走査位置に対して微調節することができる。
【００２１】
しかし、これらのデバイスは、機械的に非常に複雑で高価である。これはまた、これらを通常は移動可能視野絞りのブレードが配置される視野平面内に又はその直近に配置しなければならないという事実に起因する。
【先行技術文献】
【特許文献】
【００２２】
【特許文献１】ＥＰ  １  ２６２  ８３６  Ａ１
【特許文献２】ＵＳ  ２００６／００８７６３４  Ａ１
【特許文献３】ＵＳ  ７，０６１，５８２  Ｂ２
【特許文献４】ＵＳ  ２００７／０１６５２０２  Ａ１
【特許文献５】ＵＳ  ２０１１／０１２２３８８  Ａ１
【特許文献６】ＵＳ  ２０１３／０２９３８６１  Ａ１
【特許文献７】ＰＣＴ／ＥＰ２０１４／００３０４９
【特許文献８】ＵＳ  ６，４０４，４９９  Ａ
【特許文献９】ＵＳ  ２００６／０２４４９４１  Ａ１
【特許文献１０】ＵＳ  ２００９／０１１６０９３  Ａ１
【発明の概要】
【発明が解決しようとする課題】
【００２３】
従って、本発明の目的は、面上の所与の空間照射分布を有意な光損失を招くことなく微調節することを可能にするマイクロリソグラフィ投影露光装置の照明系を提供することである。この面は、瞳平面、視野平面、又は瞳平面と視野平面の間の平面である場合がある。
【課題を解決するための手段】
【００２４】
この目的は、本発明により、光源によって生成された投影光を受光するように構成された光入口と、光入口から直接的に又は好ましくは中間光学要素を通じて投影光を受光するように配置され、面上の投影光の照射分布を調節するように構成された照射調節ユニットとを含むマイクロリソグラフィ投影露光装置の照明系によって達成される。照射調節ユニットは、個々に制御されるように構成された光偏向要素のアレイを有する空間光変調器と、投影光を変調光路に沿って伝播する変調光及び変調光路とは別個の非変調光路に沿って伝播する非変調光に分割する光スプリッタとを含む。空間光変調器は、変調光路内にのみ配置され、非変調光路内には配置されない。変調光と非変調光は、面上で重なる。
【００２５】
本明細書では空間光変調器によって既に変調された又は変調される予定の光を表す上で「変調光」という用語を使用する。同様に、本明細書では空間光変調器によって変調されていないか又は変調される予定のない光を表す上で「非変調光」という用語を使用する。「光」という用語は、ＤＵＶ光及びＶＵＶ光だけでなく、ＥＵＶ光も包含する。
【００２６】
本発明は、リソグラフィの分野では、他の光学要素によって生成された照射分布を微調節することが多くの場合に必要であるという概念に基づいている。これは、投影光のうちの大部分は、変調する必要が全くないことを意味する。空間光変調器の使用は光損失を不可避にもたらすので、本発明により、投影光の一部、好ましくは、その最大部分は空間光変調器に誘導されず、面に向けて非変調光路に沿って直接伝播する。この直接伝播した非変調光は空間光変調器と相互作用していないので、その照射及び偏光のような他の光学特性は、空間光変調器による影響を全く受けないままに保たれる。投影光のうちで光スプリッタによって空間光変調器に向けて誘導された残留（通常は小さい）部分のみが変調を受ける。通常、変調は、投影光のうちのこの部分の空間的に分解された減衰を意味するが、時に意図しない光損失又は他の光学特性の変化も意味する。しかし、投影光のうちの（好ましくは、小さい）部分しか空間光変調器と相互作用しないので、空間光変調器に帰することができるあらゆる悪影響を最小限に留めることができる。
【００２７】
その一方、デジタルミラーデバイス又はＬＣＤパネルのような利用可能な空間光変調器は、空間照射分布を調節するのに非常に有効、確実、かつ高速なデバイスである。本発明は、高度なデバイスを用いながらも通常これらのデバイスの使用に関連付けられた悪影響を最小限に保つことを可能にする。
【００２８】
ビーム結合器を使用することにより、照射分布を調節すべきである面上に変調光と非変調光が同じ方向から入射するように変調光路と非変調光路を結合することができる。しかし、一部の用途では、投影光の入射方向は問題ではなく、ビーム結合器を省くことができる。この場合に、面上への非変調光の入射角は、例えば、５°よりも小さいとすることができ、面上への変調光の入射角は、例えば、５°よりも大きいとすることができる。
【００２９】
好ましくは、光スプリッタは、照射調節ユニット上に入射する投影光のうちの少なくとも７０％、好ましくは８０％よりも多くが非変調光路に沿って伝播するように構成される。非変調光路に沿って伝播する光の百分率が大きい程、空間光変調器が投影光に対して有する可能性があるいかなる悪影響も小さい。
【００３０】
一部の実施形態では、光スプリッタは、ビームスプリッタ面を含む。そのような面は、例えば、従来のビームスプリッタキューブ内に含有される場合がある。
【００３１】
他の実施形態では、光スプリッタは、投影光によって照明された場合に少なくとも２つの回折次数を生成するように構成された回折光学要素を含む。この関連において、ゼロ次の光も回折光学要素の回折次数と見なされる。
【００３２】
一実施形態では、回折光学要素は反射性のものであり、投影光が回折光学要素上にかすめ入射の下で入射するように配置される。それによってあらゆる非ゼロ回折次数が回折光学要素から入射角とは異なる反射角で反射されるので、小さい直径を有する投影光ビームからかなり大きい断面を有する分離投影光ビームを生成することが可能になる。
【００３３】
より具体的には、光スプリッタから射出するゼロ次の光は、非変調光の第１の部分を形成することができ、光スプリッタから射出する非ゼロ次の光は、第２の回折光学要素上にかすめ入射の下で入射することができ、第２の回折光学要素は、非ゼロ次の光を変調光と非変調光の第２の部分に分割する。そのような構成を使用することにより、ほぼ無損失の光スプリッタ構成を達成することができ、この光スプリッタは、照明系内で小さい空間領域しか必要としない。
【００３４】
そのような構成では、非変調光の第２の部分は第３の回折光学要素上に入射することができ、そこから全ての回折次数が面に向けて案内される。
【００３５】
当然ながら、１つの変調光路及び１つの非変調光路だけではなく、複数のそのような光路を設けることが可能である。例えば、照射調節ユニットは、個々に制御されるように構成された更なる光偏向要素のアレイを有する更なる空間光変調器を含むことができる。光スプリッタは、投影光を更なる変調光路に沿って伝播する更なる変調光に更に分割する。更なる空間光変調器は、更なる変調光路に配置され、変調光、更なる変調光、及び非変調光は面上で重なる。
【００３６】
この場合に、少なくとも３つの回折次数を生成する回折光学要素を光スプリッタに使用することが想定される。
【００３７】
一部の実施形態では、空間光変調器の光偏向要素は、傾斜軸の周りに傾斜されるように構成されたミラーである。そのような空間光変調器は、デジタルミラーデバイス（ＤＭＤ）として構成することができる。
【００３８】
一部の実施形態では、照明系は、空間光変調器を面上に結像する対物系を含む。この場合に、空間光変調器上で変調された照射分布は、場合によって１とは別個の倍率で面上に再現される。
【００３９】
照明系は、投影光によって照明されるマスクを配置することができるマスク平面と、複数の２次光源を生成するように構成された光学インテグレータとを含むことができる。光学インテグレータは、各々が２次光源のうちの１つに関連付けられて面上に配置された複数の光入射ファセットを含む。これらの光入射ファセットの像は、マスク平面内で少なくとも実質的に重なる。照明系は、照射調節ユニットを可変的に照明するように構成された瞳形成ユニットを更に含む。そのような構成を使用することにより、マスクレベルにおける角度光分布を視野依存方式で微調節するために照射調節ユニットを使用することができる。
【００４０】
照射調節ユニットを可変的に照明する瞳形成ユニットは、ビーム偏向要素のアレイを含むことができ、各々は、ビーム偏向要素によって生成される偏向角を変更することによって連続的に可変である位置で空間光変調器上のスポットを照明するように構成される。そのようなビーム偏向要素は、例えば、２つの傾斜角の周りに連続的に傾斜させることができるマイクロミラー又は音響光学要素として実現することができる。
【００４１】
本発明の主題はまた、マイクロリソグラフィ投影装置の照明系の面上の投影光の照射分布を調節する方法である。本方法は、ａ）投影光を変調光と非変調光に分割する段階と、ｂ）変調光を空間光変調器に、かつ空間光変調器から面に向ける段階と、ｃ）非変調光を非変調光が空間光変調器と相互作用することなく面上で変調光と重なるように面上に向ける段階とを含む。
【００４２】
投影光のうちの少なくとも７０％は、非変調光路に沿って伝播することができる。
【００４３】
段階ａ）では、回折光学要素が投影光を分割することができる。
【００４４】
投影光は、回折光学要素上にかすめ入射の下で入射することができる。
【００４５】
光スプリッタから射出するゼロ次の光は、非変調光の第１の部分を形成することができる。光スプリッタから射出する非ゼロ次の光は、第２の回折光学要素上にかすめ入射の下で入射することができ、第２の回折光学要素は、非ゼロ次の光を変調光と非変調光の第２の部分に分割する。
【００４６】
非変調光の第２の部分は、第３の回折光学要素上に入射することができ、そこから全ての回折次数が、面に向けて案内される。
【００４７】
空間光変調器は、面上に結像することができる。
【００４８】
一実施形態では、光学インテグレータは、複数の２次光源を生成する。光学インテグレータは、各々が２次光源のうちの１つに関連付けられて面上に配置された複数の光入射ファセットを含む。光入射ファセットの像は、マスク平面上で少なくとも実質的に重ね合わされる。
【００４９】
瞳形成ユニットは、照射調節ユニットを可変的に照明する。
【００５０】
定義
本明細書では、いずれかの電磁放射線、特に可視光、ＵＶ光、ＤＵＶ光、ＶＵＶ光、及びＥＵＶ光、並びにＸ線を表す上で「光」という用語を使用する。
【００５１】
本明細書では、線で説明することができる伝播経路を有する光を表す上で「光線」という用語を使用する。
【００５２】
本明細書では、特定の点に共通の起点を有する複数の光線を表す上で「光束」という用語を使用する。
【００５３】
本明細書では、特定のレンズ又は別の光学要素を通過する全ての光を表す上で「光ビーム」という用語を使用する。
【００５４】
本明細書では、物体が３次元空間内でどのような角度に向いているかを表す上で「向き（ｏｒｉｅｎｔａｔｉｏｎ）」という用語を使用する。通常、向きは、１組の３つの角度によって示される。
【００５５】
本明細書では、３次元空間内の物体の基準点の場所を表す上で「位置」という用語を使用する。通常、位置は、１組の３つの直交座標によって示される。従って、向きと位置は、３次元空間内の物体の配置を完全に表している。
【００５６】
本明細書では、３次元空間内のいずれかの２次元区域を表す上で「面」という用語を数学的な意味に対して使用する。面は、物体の外側部分とすることができ、又は通常は視野平面又は瞳平面の場合にそうであるように、物体から完全に分離することができる。
【００５７】
本明細書では、マスク平面又はマスク平面に対して光学的に共役なあらゆる他の平面を表す上で「視野平面」という用語を使用する。
【００５８】
「瞳平面」という用語は、視野平面に対して（少なくとも近似的に）フーリエ関係が確立される平面のことである。一般的に瞳平面内では、マスク平面内の異なる点を通過する周辺光線が交わり、主光線が光軸と交わる。当業技術では通例であるように、瞳平面が実際には数学的な意味で平面ではなく、若干湾曲しており、従って、厳密な意味では瞳面と呼ぶべきである場合でも「瞳平面」とう用語を使用する。
【００５９】
本明細書では、位置に依存しない特性を表す上で「均一」という用語を使用する。
【００６０】
「光学ラスター要素」という用語は、本明細書では、複数の隣接する光学チャネルのうちの１つに各光学ラスター要素が関連付けられるように他の同一又は類似光学ラスター要素と共に配置されるあらゆる光学要素、例えば、レンズ、プリズム、又は回折光学要素を表す上で使用する。
【００６１】
本明細書では、ＮＡが開口数であり、ａが照明視野面積である時に、積ＮＡ・ａを増大させる光学系を表す上で「光学インテグレータ」という用語を使用する。
【００６２】
本明細書では、２つの平面の間、例えば、視野平面と瞳平面の間にフーリエ関係を確立する（少なくとも近似的に）光学要素又は光学系を表す上で「コンデンサー」という用語を使用する。
【００６３】
本明細書では、結像関係がその間に確立される複数の平面を表す上で「共役平面」という用語を使用する。そのような関係は、物体点から発散する光束が共役像平面内の点に収束することによって特徴付けられる。
【００６４】
本明細書では、視野平面内の位置への物理量のいずれかの関数依存性を表す上で「視野依存性」という用語を使用する。
【００６５】
本明細書では、光が入射する実面又は虚面にわたって全照射がどのように変化するかを表す上で「空間照射分布」という用語を使用する。通常、空間照射分布は、ｘ，ｙが面上の点の空間座標である時に関数Ｉs（ｘ，ｙ）によって表すことができる。
【００６６】
本明細書では、光束の照射が、光束を構成する光線の角度に依存してどのように変化するかを表す上で「角度照射分布」という用語を使用する。通常、角度照射分布は、α，βが光線の方向を表す角座標である時に、関数Ｉa（α，β）によって表すことができる。角度照射分布が視野依存性を有する場合に、Ｉaは、視野座標の関数、すなわち、Ｉa＝Ｉa（α，β，ｘ，ｙ）にもなる。角度照射分布の視野依存性は、ｘ，ｙにおけるＩa（α，β，ｘ，ｙ）のテイラー（又は別の適切な）展開の１組の展開係数ａijによって説明することができる。
【００６７】
以下の詳細説明を添付図面に関連付けて参照することで、本発明の様々な特徴及び利点をより容易に理解することができる。
【図面の簡単な説明】
【００６８】
【図１】本発明の一実施形態による投影露光装置の概略斜視図である。
【図２】角度照射分布の様々な欠陥を示す図１に示す投影露光装置によって投影される特定のマスクの拡大斜視図である。
【図３】図１に示す装置の一部である照明系を通る子午断面図である。
【図４】図３に示す照明系内に含有されるミラーアレイの斜視図である。
【図５】図３に示す照明系内に含有される空間光変調器のうちの１つの斜視図である。
【図６】図３に示す照明系内に含有される光学インテグレータの斜視図である。
【図７】ミラーアレイと図４及び図５に示す空間光変調器のうちの１つとを通る非常に概略的な子午断面図である。
【図８】図５に示す空間光変調器であるが２つの極で照明された空間光変調器の斜視図である。
【図９】図６に示す光学インテグレータであるが２つの極で照明された光学インテグレータの斜視図である。
【図１０】光学インテグレータの光学ラスター要素及びコンデンサーのみを示す照明系の一部分を通る略子午断面図である。
【図１１ａ−１１ｂ】図１１ａは、空間光変調器のうちの１つの上面図であり、図１１ｂは、図３に示す光学インテグレータの上面図である。
【図１２】光学インテグレータの光入射ファセット上の照射分布を示す図である。
【図１３】図１２に示す光入射ファセットによって生成されたＸ方向に沿う走査積分照射分布を示すグラフである。
【図１４】光学インテグレータの光入射ファセット上の別の照射分布を示す図である。
【図１５】図１４に示す光入射ファセットによって生成されたＸ方向に沿う走査積分照射分布を示すグラフである。
【図１６】光スプリッタが回折光学要素として構成された第２の実施形態による照射減衰ユニットを通る子午断面図である。
【図１７】投影光がいくつかの回折光学要素上にかすめ入射の下で入射する第３の実施形態による照射減衰ユニットの斜視図である。
【図１８】図１７に示す照射減衰ユニットのＸＺ平面内の断面図である。
【図１９】図１７に示す照射減衰ユニットのＹＺ平面内の断面図である。
【図２０】重要な方法段階を示す流れ図である。
【発明を実施するための形態】
【００６９】
Ｉ．投影露光装置の一般構成
図１は、本発明による投影露光装置１０の非常に簡略化した斜視図である。装置１０は、例えば、エキシマレーザとして実現することができる光源１１を含む。この実施形態では、光源１１は、１９３ｎｍの中心波長を有する投影光を生成する。他の波長、例えば、１５７ｎｍ又は２４８ｎｍも同様に想定される。
【００７０】
装置１０は、光源１１によって供給される投影光を下記でより詳細に説明する方式で調整する照明系１２を更に含む。照明系１２から射出する投影光は、マスク１６上で照明視野１４を照明する。マスク１６は、図１に細線として略示する複数の小さい特徴部１９によって形成されたパターン１８を含有する。この実施形態では、照明視野１４は矩形の形状を有する。しかし、他の形状、例えば、リングセグメントの照明視野１４も考えられる。
【００７１】
レンズＬ１からＬ６を含む投影対物系２０が、照明視野１４の範囲のパターン１８を基板２４によって支持された感光層２２、例えば、フォトレジストの上に結像する。シリコンウェーハによって形成することができる基板２４は、感光層２２の上面が投影対物系２０の像平面に正確に位置付けられるようにウェーハ台（図示せず）上に配置される。マスク１６は、マスク台（図示せず）を用いて投影対物系２０の物体平面に位置決めされる。投影対物系２０は、｜β｜＜１である倍率βを有するので、感光層２２上には照明視野１４の範囲のパターン１８の縮小像１８’が投影される。
【００７２】
投影中に、マスク１６及び基板２４は、図１に示すＹ方向に対応する走査方向に沿って移動する。照明視野１４は、次に、それよりも大きいパターン付き区域を連続的に結像することができるようにマスク１６にわたって走査する。基板２４の速度とマスク１６の速度の間の比は、投影対物系２０の倍率βに等しい。投影対物系２０が像を反転させない場合（β＞０）には、図１に矢印Ａ１及びＡ２に示すように、マスク１６と基板２４は、同じ方向に沿って移動する。しかし、本発明はまた、マスクの投影中にマスク１６及び基板２４が移動しないステッパツールに対して使用することができる。
【００７３】
ＩＩ．視野依存性角度照射分布
図２は、別の例示的なパターン１８を含有するマスク１６の拡大斜視図である。簡略化の目的で、パターン１８は、Ｙ方向に沿って延びる特徴部１９のみを含むと仮定する。更に、Ｙ方向に沿って延びる特徴部１９は、感光層２２上にＸ二重極照明設定を用いて最適に結像されると仮定する。
【００７４】
図２では、光束に関連付けられた射出瞳２６ａを円で例示している。光束は、走査サイクル中の最初の時点で照明視野１４のある一定のＸ位置に位置付けられた視野点に向けて収束する。射出瞳２６ａ内でＸ方向に沿って分離された２つの極２７ａは、投影光がこの視野点に向けて伝播する方向を表している。各極２７ａ内に集中する光エネルギは等しいと仮定する。従って、＋Ｘ方向から入射する投影光は、−Ｘ方向から入射する投影光と同じエネルギを有する。特徴部１９がパターン１８にわたって均一に配分されると仮定しているので、このＸ二重極照明設定は、マスク１６上の各視野点上に生成されるはずである。
【００７５】
２６ｂで表示している別の射出瞳は、走査サイクルの後の時点で照明視野１４の別のＸ位置に位置付けられた視野点に向けて収束する光束に関連付けられる。各極２７ｂ内に集中する光エネルギはこの場合にも等しい。しかし、極２７ｂに関連付けられた光は、理想的な極２７ａに関連付けられた光の光円錐と比較して傾斜される。この傾斜は、視野点が同じ量の投影光を受光するが、投影光が視野点上に入射する方向が、特徴部１９を感光層２２上に結像するのには理想的でないことを意味する。
【００７６】
２６ｃで表示している更なる射出瞳は、照明視野１４内の更なるＸ位置に位置付けられる点に関連付けられる。ここで、投影光が視野点上に入射する方向は、再び特徴部１９を結像するのに理想的であると仮定する。従って、極２７ｃに関連付けられた光円錐は、理想的な射出瞳２６ａに関連付けられた円錐と同じ円錐角及び向きを有する。しかし、極２７ｃは均衡がとれておらず、すなわち、極２７ｃ内に集中する光エネルギは互いに異なる。従って、＋Ｘ方向から入射する投影光は、−Ｘ方向から入射する投影光よりも低いエネルギを有する。
【００７７】
以上により、射出瞳２６ａで表す理想的な角度照射分布は、照明視野１４内の各Ｘ位置で得られるわけではないことが明らかになる。従って、角度照射分布は視野依存のものであり、すなわち、角度照射分布は、様々な視野点で異なる。
【００７８】
視野依存性は、照明視野１４の範囲でＸ方向だけではなくＹ方向に沿っても発生する場合がある。次に、マスク１６上の１つの点は、走査サイクル中に照明視野１４を通過する間に異なる角度照射分布に露出される。Ｙ方向（すなわち、走査方向）に沿った視野依存性が発生する場合に、特定の視野点に関する全体効果は、異なる角度照射分布を積分することによって得られることを考慮しなければならない。
【００７９】
理想的な角度照射分布からの実角度照射分布の広範な更なる視野依存のずれ（ｆｉｅｌｄ−ｄｅｐｅｎｄｅｎｔ  ｄｅｖｉａｔｉｏｎｓ）がある。例えば、一部の視野点に関連付けられた射出瞳内の極は、変形されるか、ぼけるか、又は望ましい不均一照射分布を持たない場合がある。
【００８０】
理想的な角度照射分布からの視野依存のずれ（ｆｉｅｌｄ−ｄｅｐｅｎｄｅｎｔ  ｄｅｖｉａｔｉｏｎｓ）が発生する場合に、一般的に、感光層２２上に形成されるパターン像の品質に対して悪影響を有する。特に、装置１０を用いて生成される構造の寸法が不用意に変化する場合があり、それによってこれらの構造を含むデバイスの機能が損なわれる場合がある。従って、一般的に、照明視野１４内の照明設定のあらゆる視野依存性を排除することが望ましい。
【００８１】
しかし、時には、角度照射分布の視野依存性を意図的に導入することが望ましい。例えば、投影対物系２０又はマスク１６が、感光層２２上のパターン１８の像に対して影響を及ぼす視野依存特性を有する場合に、この導入を好適とすることができる。例えば、製造公差、経年変化現象、又は不均一温度分布の結果として投影対物系２０の結像特性の変化が発生する場合がある。マスク１６の視野依存性は、多くの場合に、例えば、異なる向き又は寸法を有する特徴部の結果として発生する。多くの場合に、視野依存の悪影響は、角度照射分布の視野依存性を選択的に導入することによって首尾良く低減することができる。これらの効果のうちの一部は非常に急速に変化するので、時には、１回の走査サイクル中に角度照射分布の視野依存性を変更することが望ましい。
【００８２】
ＩＩＩ．照明系の構成
図３は、図１に示す照明系１２を通る子午断面図である。明瞭化の目的で、図３の図は大きく簡略化したものであり、正確な縮尺のものではない。特に、これは、異なる光学ユニットを１つ又は極めて少数の光学要素だけによって表すことを意味する。実際には、これらのユニットは、有意に多くのレンズ及び他の光学要素を含むことができる。
【００８３】
図示の実施形態では、光源１１によって放出された投影光は、ハウジング内に設けられた開口部又はガラス窓によって形成することができる光入口１３を通って照明系１２に入射する。投影光は、ビーム拡大ユニット３２内で拡大され、ビーム拡大ユニット３２は、ほぼ平行化された光ビーム３４を出力する。この目的に対して、ビーム拡大ユニット３２は、いくつかのレンズを含むことができ、又は例えばミラー配置として実現することができる。
【００８４】
１．瞳形成ユニット
次いで、投影光ビーム３４は瞳形成ユニット３６に入射し、その後の平面に可変空間照射分布を生成する。この目的のために、瞳形成ユニット３６は、アクチュエータを用いて２つの直交軸の周りに個々に傾斜させることができる小さいミラー４０のアレイ３８を含む。図４は、２つの平行光ビーム４２、４４が、これらの光ビームが入射するミラー４０の傾斜角に依存して異なる方向にどのように反射されるかを示すミラーアレイ３８の斜視図である。図３及び図４では、ミラーアレイ３８は６ｘ６個のミラー４０のみを含むが、実際には数百個又は数千個のミラー４０さえも含むことができる。
【００８５】
瞳形成ユニット３６は、両方共に照明系１２の光軸ＯＡに対して傾いた第１の平面４８ａと第２の平面４８ｂとを有するプリズム４６を更に含む。これらの傾いた面４８ａ、４８ｂでは、入射光は内部全反射によって反射される。第１の面４８ａは、入射光をミラーアレイ３８のミラー４０に向けて反射し、第２の面４８ｂは、ミラー４０から反射された光をプリズム４６の射出面４９に向けて誘導する。従って、射出面４９から射出する光の角度照射分布は、ミラーアレイ３８のミラー４０を個々に傾斜させることによって変更することができる。瞳形成ユニット３６に関する更なる詳細は、ＵＳ  ２００９／０１１６０９３  Ａ１から集めることができる。
【００８６】
瞳形成ユニット３６によって生成された角度照射分布は、第１のコンデンサー５０を用いて空間照射分布に変換される。他の実施形態では省くことができる第１のコンデンサー５０は、入射投影光を全体的に５２で表示している照射調節ユニットに向けて誘導する。
【００８７】
２．照射調節ユニット
照射調節ユニット５２は、第１の空間光変調器５４ａと第２の空間光変調器５４ｂを含む。各空間光変調器５４ａ、５４ｂは、個々に制御されるように構成された光偏向要素５５のアレイを含む。図３に図示の実施形態では、光偏向要素５５は、この図の拡大抜粋図Ｃ及び第１の空間光変調器５４ａの斜視図である図５の拡大抜粋図Ｃ’で見ることができるように、マイクロミラーである。ミラーアレイ３８のミラー４０とは対照的に、各光偏向要素５５は、２つの安定作動状態、すなわち、面Ｓに投影光を向けて誘導する「オン」状態と、投影光を光吸収面５７ａ又は５７ｂに向けて誘導する「オフ」状態とのみを有する。空間光変調器５４ａ、５４ｂは、例えば、ビームプロジェクター内で一般的に使用される場合のように、デジタルミラーデバイス（ＤＭＤ）として実現することができる。そのようなデバイスは、２つの作動状態の間で毎秒何千回も切り換えを行うことができる数百万個までのマイクロミラーを含むことができる。
【００８８】
照射調節ユニット５２は、第１のビームスプリッタキューブ５６ａと第２のビームスプリッタキューブ５６ｂを更に含む。第１のビームスプリッタキューブ５６ａは、照射調節ユニット５２に入射する投影光を第１の変調光５８ａと第１の非変調光６０ａに分割する。第１の変調光５８ａは、第１の空間光変調器５４ａが配置された第１の変調光路５９ａに沿って伝播する。第１の空間光変調器５４ａからの反射後に、第１の変調光５８ａは面Ｓ上に入射する。
【００８９】
第２のビームスプリッタキューブ５６ａは、第１のビームスプリッタキューブ５６ａから射出した第１の非変調光６０ａを第２の変調光５８ｂと第２の非変調光６０ｂに分割する。第２の変調光５８ｂは、第２の空間光変調器５４ｂが配置された第２の変調光路５９ｂに沿って伝播する。第２の空間光変調器５４ｂからの反射後に、第２の変調光５８ｂは面Ｓ上に入射する。
【００９０】
第１の非変調光６０ａ及び第２の非変調光６０ｂがそれに沿って伝播する非変調光路６３内には空間光変調器は配置されない。従って、非変調光６０ａ、６０ｂは、照射調節ユニット５２を通っていかなる変調も受けずに伝播する。非変調光６０ａ、６０ｂも面Ｓ上に入射し、そこで第１の変調光５８ａ及び第２の変調光６０ｂと重なる。
【００９１】
この実施形態では、第１及び第２の変調光５８ａ、５８ｂは、面Ｓ上に反対方向から斜方入射し、それに対して非変調光６０ｂの入射角は９０°である。照射調節ユニット５２のこの特定の用途では、第１及び第２の変調光５８ａ、５８ｂの入射角は、照明系１２の機能に対して殆ど効果を持たない。しかし、追加のミラー及びビーム結合器を使用することにより、第１及び第２の変調光５８ａ、５８ｂを面Ｓ上に同じく垂直に入射するように向け直すことができる。
【００９２】
各変調光路５９ａ、５９ｂ内には、空間光変調器５４ａ、５４ｂと面Ｓの間に結像レンズ６４ａ及び６４ｂが配置される。各結像レンズ６４ａ、６４ｂは、空間光変調器５４ａ、５４ｂを面Ｓ上に結像する。光偏向要素５５が配置された物体平面６６は面Ｓに対して傾いているので、結像レンズ６４ａ、６４ｂは、Ｓｃｈｅｉｍｐｆｌｕｇ条件が満たされるように配置することができる。各物体平面６６間の結像関係は、空間光変調器５４ａ、５４ｂ上の変調照射分布が、可能な場合は１とは別個の倍率によって面Ｓ上で再現されることを確実にする。
【００９３】
この実施形態では、各ビームスプリッタキューブ５６ａ、５６ｂは、９０：１０という分割比を有する。従って、投影光のうちの１０％が第１の空間光変調器５４ａによって変調され、投影光のうちの１０％ｘ９０％＝９％が第２の空間光変調器５４ｂによって変調される。光減衰ユニット５２に入射した投影光のうちの８１％に対応する第２の非変調光６０ｂは、いかなる変調も受けずに面Ｓ上に入射する。ビームスプリッタキューブ５６ａ、５６ｂの分割比を変更することにより、空間光変調器５４ａ、５４ｂによって変調される光の量に対して異なる値を設定することができる。
【００９４】
３．光学インテグレータ
この実施形態では、照射調節ユニット５２によって照明される面Ｓは、光学インテグレータ６８の前部境界面である。図３に示す光学インテグレータ６８は、光学ラスター要素７４の第１のアレイ７０と第２のアレイ７２を含む。図６は、２つのアレイ７０、７２の斜視図である。各アレイ７０、７２は、支持板の各側にそれぞれＸ方向及びＹ方向に沿って延びる円柱レンズの平行アレイを含む。２つの円柱レンズが交差する空間領域が光学ラスター要素７４を形成する。従って、各光学ラスター要素７４は、円柱曲面を有するマイクロレンズと見なすことができる。円柱レンズの使用は、特に光学ラスター要素７４の屈折力がＸ方向とＹ方向とに沿って異なるべきである場合であれば有利である。光学インテグレータ６８上の正方形照射分布を通常そうであるように、スリット形照明視野１４に変形される場合は異なる屈折力が必要である。以下では、空間光変調器５２に向く光学ラスター要素７４の面を光入射ファセット７５とも呼ぶ。
【００９５】
第１及び第２のアレイ７０、７２の光学ラスター要素７４は、第１のアレイ７０の１つの光学ラスター要素７４が第２のアレイ７２の１つの光学ラスター要素７４と１対１対応で関連付けられるように互いに前後に配置される。互いに関連付けられた２つの光学ラスター要素７４は、共通軸に沿って位置合わせされ、光学チャネルを定義する。光学インテグレータ６８内では、１つの光学チャネル内で伝播する光ビームは、他の光学チャネル内で伝播する光ビームと交差せず又は重ならない。従って、光学ラスター要素７４に関連付けられた光学チャネルは互いから光学的に分離される。
【００９６】
この実施形態では、照明系１２の瞳平面７６は、第２のアレイ７２の背後に位置付けられるが、その前に配置することも同等に可能である。第２のコンデンサー７８は、瞳平面７６と調節可能視野絞り８２が配置された視野絞り平面８０との間にフーリエ関係を確立する。
【００９７】
視野絞り平面８０は、光学インテグレータ６８の光入射ファセット７５内又はその直近に位置付けられたラスター視野平面８４に対して光学的に共役である。この共役性は、ラスター視野平面８４内の各光入射ファセット７５が、それに関連付けられた第２のアレイ７２の光学ラスター要素７４及び第２のコンデンサー７８によって視野絞り平面８０全体上に結像されることを意味する。全ての光学チャネル内の光入射ファセット７５上の照射分布の像は、視野絞り平面８０内で重なり、その結果、マスク１６の非常に均一な照明がもたらされる。マスク１６の均一照明を説明する別の手法は、各光学チャネルによって瞳平面７６内に生成される照射分布に基づくものである。多くの場合に、この照射分布を２次光源と呼ぶ。全ての２次光源は、異なる方向からの投影光で視野絞り平面８０を共通に照明する。２次光源が「暗い」場合に、この特定の光源に関連付けられた（小さい）方向範囲からの光はマスク１６上に入射しない。従って、瞳平面７６内に形成された２次光源を単純にオン及びオフに切り換えることによってマスク１６上に望ましい角度光分布を設定することができる。この設定は、光学インテグレータ６８上の照射分布を瞳形成ユニット３６を用いて変更することによって達成される。
【００９８】
４．視野絞り対物系
視野絞り平面８０は、マスク台（図示せず）を用いてマスク１６が配置されたマスク平面８８上に視野絞り対物系８６によって結像される。マスク平面８８上には調節可能視野絞り８２も結像され、調節可能視野絞り８２は、少なくとも走査方向Ｙに沿って延びる照明視野１４の短辺を定義する。視野絞り対物系８６とマスク１６の間には、照明系１０内のハウジング内に設けられた開口部又はガラス窓によって形成することができる光射出口８９がある。
【００９９】
瞳形成ユニット３６、並びに第１及び第２の空間光変調器５４ａ、５４ｂは制御ユニット９０に接続され、制御ユニット９０は、次に、パーソナルコンピュータとして示す全体システム制御器９２に接続される。制御ユニット９０は、マスク平面８８内の角度照射分布が均一であるように又は望ましい視野依存角度照射分布が得られるように瞳形成ユニット３６のミラー４０及び空間光変調器５４ａ、５４ｂの光偏向要素５５を制御するように構成される。
【０１００】
以下では、上述のことがどのように達成されるかを説明する。
【０１０１】
ＩＶ．照明系の機能及び制御
１．瞳形成
図７は、瞳形成ユニット３６が第１及び第２の空間光変調器５４ａ、５４ｂの光偏向要素５５上にどのようにして照射分布を生成するかを略示している。簡略化の目的で、ビームスプリッタキューブ５６ａ、５６ｂを示していない。
【０１０２】
ミラーアレイ３８の各ミラー４０は、空間光変調器５４ａ、５４ｂの物体平面６６上で、それぞれのミラー４０によって生成される偏向角を変更することによって可変である位置にスポット９４を照明するように構成される。従って、スポット９４は、ミラー４０をその傾斜軸の周りに傾斜させることによって物体平面６６にわたって自由に移動することができる。このようにして、物体平面６６上に様々な異なる照射分布を生成することができる。スポット９４は、９５の場所に示すように部分的又は完全に重なることも可能である。次に、段階的（ｇｒａｄｅｄ）な照射分布を同じく生成することができる。
【０１０３】
図８は、第１の空間光変調器５４ａに対する図５と類似の斜視図である。ここで、瞳形成ユニット３６が、各々が正確に６×６個の光偏向要素５５にわたって延びる２つの正方形の極２７からなる照射分布を物体平面６６上に生成したと仮定する。極２７は、ＹＺ平面に関して鏡面対称に配置される。第２の空間光変調器５４ｂ上に生成される照射分布はこれと同一である。
【０１０４】
結像レンズ６４ａ、６４ｂは、図９に示すように、変調光５８ａ、５８ｂからこの照射分布の基本的に同一かつ重なる像を光学インテグレータ６８（又はその光入射ファセット７５）の面Ｓ上に形成する。この関連において、空間光変調器５４ａ、５４ｂ上に形成される照射分布が光学インテグレータ６８上で同一に再現されるように（結像レンズ６４ａ、６４ｂの倍率に起因して起こり得るスケーリングを除いて）、全ての光偏向要素５５が「オン」状態にあると仮定する。簡略化の目的で、空間光変調器５４ａ、５４ｂの隣接光偏向要素５５を分離する間隙の像を無視した。光入射ファセット７５上に示す規則的なグリッドは、光偏向要素５５の境界線の像を表すが、この像は、極２７の外側には出現せず、図９では単に例示の理由から示している。
【０１０５】
これに加えて、空間光変調器５４ａ、５４ｂ上に生成された照射分布は、再度光学インテグレータ６８の面Ｓ上に非変調光６０ｂによって形成される。この非変調光６０ｂは投影光全体の８１％を表すので、面ＳＳ上で重なる３つの照射分布は、定量的にではなく定性的にのみ同一である。
【０１０６】
２．視野依存性
光入射ファセット７５はラスター視野平面８４内に位置付けられるので、光入射ファセット７５上の照射分布は、第２のアレイ７２の光学ラスター要素７４及び第２のコンデンサー７８を通して視野絞り平面８０上に結像される。
【０１０７】
ここで、この結像を図３からの正確な縮尺のものではない拡大抜粋図である図１０を参照して以下に説明する。ここで、光学インテグレータ６８の光学ラスター要素７４の２つの対及び中間視野絞り平面８０のみを略示している。
【０１０８】
単一光学チャネルに関連付けられた２つの光学ラスター要素７４を以下で第１のマイクロレンズ１０１及び第２のマイクロレンズ１０２と呼ぶ。時には、マイクロレンズ１０１、１０２を視野フライアイレンズ及び瞳フライアイレンズと呼ぶ。特定の光学チャネルに関連付けられたマイクロレンズ１０１、１０２の各対は、瞳平面７６内に２次光源１０６を生成する。図１０の上半分では、実線、点線、及び破線で示す収束光束Ｌ１ａ、Ｌ２ａ、及びＬ３ａが、第１のマイクロレンズ１０１の光入射ファセット７５の異なる点の上にそれぞれ入射すると仮定する。２つのマイクロレンズ１０１、１０２及びコンデンサー７８を通った後に、各光束Ｌ１ａ、Ｌ２ａ、及びＬ３ａは、焦点Ｆ１、Ｆ２、及びＦ３にそれぞれ収束する。図１０の上半分から、光線が光入射ファセット７５上に入射する点と、これらの光線が視野絞り平面８０（又はあらゆる他の共役視野平面）を通過する点とは光学的に共役であることが明らかになる。
【０１０９】
図１０の下半分は、平行化された光束Ｌ１ｂ、Ｌ２ｂ、及びＬ３ｂが第１のマイクロレンズ１０１の光入射ファセット７５の異なる領域上に入射する場合を示している。光学インテグレータ６８上に入射する光は、通常は実質的に平行化されるので、これはより現実的な場合である。光束Ｌ１ｂ、Ｌ２ｂ、及びＬ３ｂは、第２のマイクロレンズ１０２に位置付けられた共通焦点Ｆに集束され、次いで、再び平行化されて視野絞り平面８０を通過する。この場合も、光学共役性の結果として、光束Ｌ１ｂ、Ｌ２ｂ、及びＬ３ｂが光入射ファセット７５上に入射する領域は、視野絞り平面８０内で照明される領域に対応することを見ることができる。当然ながら、これらの考察は、マイクロレンズ１０１、１０２がＸ方向とＹ方向の両方に沿って屈折力を有する場合にＸ方向とＹ方向に対して別々に適用される。
【０１１０】
従って、光入射ファセット７５上の各点は、中間視野絞り平面８０内の共役点に、従って、マスク１６上の照明視野１４内の共役点に直接に対応する。従って、光入射ファセット７５上の点での照射に選択的に影響を及ぼすことにより、照明系の光軸ＯＡに対する光入射ファセット７５の位置に依存する方向から照明視野１４内の共役点上に入射する光線の照射に影響を及ぼすことができる。光軸ＯＡからこの光入射ファセット７５の間の距離が大きい程、光線がマスク１６上の点上に入射する際の角度は大きい。
【０１１１】
３．光入射ファセット上の照射の修正
照明系１２では、光入射ファセット７５上の点上の照射を調節するために照射調節ユニット５２が使用される。図９では、各極２７が、２つの空間光変調器５４ａ、５４ｂの光偏向要素５５の重ね合わせ像である複数の小区域５５’にわたって延びることを見ることができる。第１の空間光変調器５４ａの光偏向要素５５のうちの１つが「オフ」状態に入れられた場合に、ある一定の光入射ファセット７５上の共役区域は、第１の空間光変調器５４ａによって照明されなくなり、従って、陰り５５ａ’を形成する。投影光のうちの１０％が第１の空間光変調器５４ａ上に入射するので、第２の空間光変調器５４ｂの対応する光偏向要素５５が「オン」状態にあると仮定すると、陰り５５ａ’における照射は１０％だけ低減される。
【０１１２】
第２の空間光変調器５４ｂの対応する光偏向要素５５が同じく「オフ」状態にある場合に、照射は９％だけ更に低減されて８１％になる。図９には、そのような区域をより濃いモノクロ階調を用いて示し、更に５５ａａ’で表示している。
【０１１３】
非変調光６０ｂだけではなく変調光５８ａ、５８ｂも入射する区域内では、照射は実質的に１００％である。投影光と第１及び第２の空間光変調器５４ａ、５４ｂとの相互作用に起因する光損失は、主として回折、隣接光偏向要素５５の間の間隙により、更に光偏向要素５５がマイクロミラーとして構成される場合はその非理想的な反射係数によって引き起こされる。しかし、空間光変調器５４ａ、５４ｂ上には投影光のうちの１００％ではなく１９％しか入射しないので、これらの光損失は比較的小さい。
【０１１４】
第１の空間光変調器５４ａ及び光学インテグレータ６８それぞれの上面図である図１１ａ及び図１１ｂに投影光の減衰を更に例示している。
【０１１５】
第１の空間光変調器５４ａ上の太い点線は、そのミラー平面を各々が３×３個の光偏向要素５５を含む複数の物体区域１１０に概念的に分割する。対物系５８は、光学インテグレータ６８上に各物体区域１１０の像を形成する。この像を以下では像区域１１０’と呼ぶ。各像区域１１０’は、光入射ファセット７５と完全に一致し、すなわち、像区域１１０’は、光入射ファセット７５と同じ形状、サイズ、及び向きを有する。各物体区域１１０は、３ｘ３個の光偏向要素５５を含み、像区域１１０’も光偏向要素５５の３ｘ３個の像５５’を含む。
【０１１６】
図１１ａには、瞳形成ユニット３６による投影光で完全に照明された第１の空間光変調器５４ａの８つの物体区域１１０がある。これら８つの物体区域１１０は、２つの極２７を形成する。物体区域１１０のうちの一部において入射投影光が対物系５８に向けてではなく吸収体５７ｂに向けて誘導される「オフ」状態にあるように黒い正方形で表した１、２、又は３以上の光偏向要素５５ｄが制御ユニット９０によって制御されることを見ることができる。従って、光偏向要素５５を「オン」状態と「オフ」状態の間で切り換えることにより、図１１ｂに示すように、投影光が光入射ファセット７５上の像区域１１０’内の対応する領域上に入射することを可変的に阻止することができる。図９を参照して上述した陰り５５ａ’を形成するこれらの領域は、非変調光６０ｂ及び時には第２の空間光変調器５４ｂがどのように制御されるかに依存して第２の変調光路５９ｂに沿って伝播する変調光５８ｂによって依然として照明されることでオフ状態にはない。
【０１１７】
図１０を参照して上述したように、各光入射ファセット７５上の照射分布は、視野絞り平面８０上に結像され、かつその上で重ね合わされる。光入射ファセット７５が、図１２に示すように１又は２以上の陰り５５ａ’を含む場合に、それに関連付けられた光学チャネルによってマスク平面８８内に生成される照射分布も、ある一定のＸ位置で陰りを有することになる。従って、図１３に記載のグラフに示すように、マスク上の点が照明視野１４を通過する場合に、全走査積分照射は、照明視野１４内の点のＸ位置に依存することになる。照明視野１４の中心にある点は、陰りを通過しないことで最も高い走査積分照射を受けることになり、照明視野１４の長手側部にある点は、異なる程度まで低減された全照射を受けることになる。従って、第１の空間光変調器５４ａの１又は２以上の光偏向要素５５を「オン」状態から「オフ」状態に選択的に入れることによってマスク１６上の角度光分布の視野依存性を修正することができる。
【０１１８】
必要な変更を加えて同じことが第２の空間光変調器５４ｂにも適用される。第２の空間光変調器５４ｂを用いて、更に低減された照射レベルが与えられる。図１２では、これは、異なるモノクロ階調を有するスポット５６ａ’が存在する可能性があることを示唆する。第１のビームスプリッタキューブ５６ａの分割比と第２のビームスプリッタキューブ５６ｂの分割比とが等しくなく異なる場合に、例えば、それぞれ１０％及び５％である場合に、より一層大きく異なる照射レベルが得られる。
【０１１９】
上記では、光入射ファセット７５のうちの１つの上に結像される各物体区域１１０が３ｘ３個の光偏向要素５５のみを含むと仮定した。従って、交差走査方向Ｘに沿った分解能、並びに角度光分布の視野依存を修正するのに使用することができる走査積分照射レベルの個数は、比較的粗いものである。各物体区域１１０内の光偏向要素５５の個数が増加された場合に、この分解能を改善することができる。
【０１２０】
図１４は、各物体区域１１０内に２０ｘ２０個の光偏向要素５５が含有される実施形態のための光入射ファセット７５のうちの１つの上面図を示している。この場合に、図１５に示すグラフ内に示すように、マスク１６上でＸ方向に沿ってより複雑な走査積分照射分布を達成することができる。
【０１２１】
Ｖ．代替実施形態
１．第２の実施形態−対称構成
上記で記述した第１の実施形態では、照射調節ユニット５２は、ビームスプリッタキューブ５６ａ、５６ｂ内に形成された２つのビーム分割面を含む。それによって非対称カスケード構成がもたらされるが、変調光５８ａ、５８ｂは、各対向する側から同じ入射角で面Ｓ上に入射する。
【０１２２】
図１６は、空間光変調器５４ａ、５４ｂが単一光スプリッタに関して対称に配置された第２の実施形態による照射調節ユニット５２を子午断面によって示している。この実施形態の光スプリッタは、複数の微小回折構造１１４を支持する基板１１２を含む回折光学要素５６によって形成される。通常、これらの構造１１４は、規則的な回折格子を形成するが、他の構成、例えば、コンピュータ発生ホログラムを想定することができる。
【０１２３】
回折光学要素５６は、入射投影光のうちの８０％が、回折光学要素５６を非変調光路６３に沿って通過するゼロ次の回折次数内に集中するように構成される。入射投影光のうちのこの部分は、空間光変調器５４ａ、５４ｂのいずれとも相互作用することなく面Ｓ上に入射する非変調光６０を形成する。
【０１２４】
残りの投影光は、＋１回折次数と−１回折次数の間で均等に配分され、回折光学要素５６をある角度で射出する。このようにして、入射投影光のうちの１０％が第１の空間光変調器５４ａに向けて誘導され、入射投影光のうちの１０％が第２の空間光変調器５４ｂに向けて誘導される。
【０１２５】
空間光変調器５４ａ、５４ｂは、第１の実施形態の場合と同じ方式で構成される。従って、光偏向要素５５が「オン」位置又は「オフ」位置のいずれにあるかに基づいて、入射投影光は、面Ｓに向けて結像レンズ６４ａ、６４ｂを通して誘導されるか、又は光吸収面５７ａ、５７ｂの一方に向けて誘導されるかのいずれかである。従って、図１６に示す照射減衰ユニット５２も、空間光変調器５４ａ、５４ｂが配置された２つの変調光路５９ａ及び５９ｂを有する。
【０１２６】
照射減衰ユニット５２は、図１から図１５に図示の実施形態を参照して上記で記述したものと基本的に同じ方式で機能する。２つの空間光変調器５４ａ、５４ｂの光偏向要素５５を適切に制御することにより、面Ｓ内の照射分布を微調節することができ、このようにして角度光分布の視野依存性に必要に応じて影響を及ぼすことができる。
【０１２７】
この実施形態では、変調光路５９ａ、５９ｂ内の変調光５８ａ、５８ｂは、空間光変調器５４ａ、５４ｂ上に入射する前には正確に等しい。しかし、投影光を変調光路５９ａ、５９ｂ間で非対称に分割するように回折光学要素５６を修正することが可能である。
【０１２８】
２．第３の実施形態−かすめ入射
ここで、照射減衰ユニット５２の第３の実施形態を図１７から図１９を参照して以下に説明する。図１７は照射減衰ユニット５２の斜視図であり、それに対して図１８及び図１９は、それぞれＸＺ平面及びＹＺ平面内の断面図である。
【０１２９】
投影光は、照射減衰ユニット５２に１１３に示す開口を通して入射すると仮定する。次いで、投影光は、第１の回折光学要素１５６ａ上にかすめ入射の下で入射する。図示の実施形態では、法線に対する入射角は、好ましくは、７５°と８８°の間にある。第１の回折光学要素１５６ａは、回折格子１１４ａを支持する基板１１２ａを含む反射要素である。
【０１３０】
ゼロ次の回折次数の他には＋１回折次数しか回折光学要素１５６ａから射出しないように、格子パラメータが投影光の波長に適応される。投影光の波長が１９３ｎｍである場合に、この目的に対しては、格子周期は少なくとも５０００線／ｍｍでなければならない。第１の回折光学要素１５６ａによって生成されるゼロ次の回折次数は、面Ｓ上に斜方入射する非変調光の第１の部分１６０ａを形成する。これは、図１８の断面図内で最も良く見ることができる。
【０１３１】
第１の回折光学要素１５６ａから射出し、Ｌａ＋１に示す＋１回折次数は、より大きくて垂直平面に配置されることを除いて第１の回折光学要素１５６ａと同じ構成を有する第２の回折光学要素１５６ｂ上に再度かすめ入射の下で入射する。すなわち、第２の回折光学要素１５６ｂは、入射投影光Ｌａ＋１を非変調光の第２の部分１６０ｂを形成して第３の回折光学要素１５６ｃに向けて伝播するゼロ次の光と、図１９の断面図内で最も良く見ることができるように空間光変調器１５４に向けて回折されることで変調光１５８を形成する＋１回折次数とに分割する。
【０１３２】
「オン」状態にある光偏向要素５５は、入射変調光１５８を第１の平面ミラー１１６ａに向けて反射し、このミラー１１６ａは、変調光１６０を変調光路１５９に沿って結像レンズ１６４を通して面Ｓ上に案内する。他の実施形態と同様に、結像レンズ１６４は、空間光変調器１５４の平面と面Ｓとの間に結像関係を確立する。従って、光偏向要素５５のうちの１つの上の点から発散する光束は、面Ｓ内の共役点に収束する。
【０１３３】
第２の回折光学要素１５６ｂから射出し、非変調光の第２の部分１６０ｂを形成する非変調のゼロ次の光は、第３の回折光学要素１５６ｃ上に入射する。第３の回折光学要素１５６ｃから、全ての回折次数が面Ｓに向けて案内される。より具体的には、第３の回折光学要素１５６ｃによって生成された＋１回折次数１６０ｃは、図１８で最も良く見ることができるように面Ｓの向けて直接に案内され、−１回折次数は、第２の平面ミラー１１６ｂに向けて回折され、このミラー１１６ｂは、非変調光のうちのこの部分１６０ｄを面Ｓに向けて反射する。
【０１３４】
第３の実施形態の照射減衰ユニット５２は、非常に小さい光損失を空間的にコンパクトな設計と組み合わせる。かすめ入射効果を利用することにより、空間光変調器１５４上に入射する時にかなり大きい直径を有する変調光１５８のビームを小さい投影光ビームから生成することができる。図１７では、第２の回折光学要素１５６ｂ上の１次の回折光Ｌａ＋１のフットプリント１１８を比較することによってこの独特の特性が明らかになる。このフットプリント１１８は、第１の回折光学要素１５６ａ上の投影光のフットプリント１２０よりもかなり大きいサイズを有する。更に、第２の回折光学要素１５６ｂから射出する変調光１５８は、空間光変調器１５４上に入射する時に非常に高い程度まで平行化される。この平行化は、空間光変調器１５４による変調に有効な影響を有する。
【０１３５】
この実施形態では、面Ｓ上に入射する非変調光は、図１８で最も良く見ることができるように、第１の回折光学要素によって生成されたゼロ回折次数の光１６０ａと、第３の回折光学要素１５６ｃによって生成された−１及び＋１回折次数の光１６０ｃ、１６０ｄとの組合せである。従って、非変調光は、異なる非変調光路１６３ａ、１６３ｃ、及び１６３ｄに沿って伝播する。
【０１３６】
レンズ１６４がミラーによって置換された場合に、照射減衰ユニット５２は、３０ｎｍよりも短い、例えば、１３．５ｎｍの波長を使用するＥＵＶ投影装置に対して使用することができる。
【０１３７】
ＶＩ．重要な方法段階
ここで、図２０に示す流れ図を参照して本発明の重要な方法段階を以下に要約する。
【０１３８】
第１の段階Ｓ１では、投影光が、変調光と非変調光に分割される。
【０１３９】
第２の段階Ｓ２では、変調光が、空間光変調器にかつ空間光変調器から面に向けられる。
【０１４０】
第３の段階では、非変調光は、非変調光が空間光変調器と相互作用することなく面上で変調光と重なるように面上に向けられる。
【符号の説明】
【０１４１】
１２  照明系
５５  光偏向要素
６８  光学インテグレータ
７５  光入射ファセット
Ｓ  照明系の面
【図１】
2018518702.tif 000003
【図２】
2018518702.tif 000004
【図３】
2018518702.tif 000005
【図４】
2018518702.tif 000006
【図５】
2018518702.tif 000007
【図６】
2018518702.tif 000008
【図７】
2018518702.tif 000009
【図８】
2018518702.tif 000010
【図９】
2018518702.tif 000011
【図１０】
2018518702.tif 000012
【図１１ａ−１１ｂ】
2018518702.tif 000013
【図１２】
2018518702.tif 000014
【図１３】
2018518702.tif 000015
【図１４】
2018518702.tif 000016
【図１５】
2018518702.tif 000017
【図１６】
2018518702.tif 000018
【図１７】
2018518702.tif 000019
【図１８】
2018518702.tif 000020
【図１９】
2018518702.tif 000021
【図２０】
2018518702.tif 000022
【国際調査報告】
2018518702.tif 000023
2018518702.tif 000024